(57)【要約】【課題】脱落呼出が行われるケースに応じて適切に報知が保留できるようにする。【解決手段】ナースコール子機を接続するウォールユニット１をベッド近傍の壁面に設置し、脱落呼出の報知を保留する脱落呼出保留操作部４を設ける。ナースコール親機１０は、ベッドが空床であるか否かを示す空床情報により空床であると判定されたベッドについて脱落呼出の報知を保留とし、空床ではないと判定されたベッドについて脱落呼出保留操作部４が操作された場合にのみ脱落呼出の報知を保留するようにしているので、空床のベッド近傍のウォールユニット１にからナースコール子機を取り外す際に、医療従事者が脱落呼出保留操作部４を操作しなくても良くなる。また、在床のベッド近傍に設置されているウォールユニット１からナースコール子機を取り外したり、ナースコール子機のコードが断線したりした場合には、脱落呼出保留操作部４の操作でのみ脱落呼出の報知を保留できる。【選択図】図１
2013208157.tif 000002
【特許請求の範囲】
【請求項１】
患者が使用するベッド近傍の壁面に設けられ、前記患者が医療従事者を呼び出すために使用するナースコール子機のコードの先端に設けられたプラグを着脱自在に接続するコンセントと、前記プラグが前記コンセントから外れたり前記コードが断線したりしたことを検出して、自機を他のウォールユニットと識別するための識別情報を含む脱落呼出信号を生成する制御部と、前記制御部による脱落呼出信号の生成を保留するために操作される脱落呼出保留操作部と、前記制御部にて生成された脱落呼出信号を出力するインターフェースとを有するウォールユニットと、
前記ウォールユニットが設けられているベッドが空床であるか否かを示す空床情報を外部から入力する患者情報取得部と、前記ウォールユニットの識別情報に関連付けて前記空床情報を記憶する記憶部と、前記脱落呼出信号を入力する親機インターフェースと、この親機インターフェースが前記脱落呼出信号を入力した場合に、前記記憶部を参照して前記脱落呼出信号に含まれている識別情報に関連付けて記憶されている空床情報を取得し、この空床情報が空床であるか否かを判定する動作判定部と、前記プラグが前記コンセントから外れたり前記コードが断線したりしたことを報知する報知部と、前記空床情報が空床であると前記動作判定部にて判定された場合に、前記報知部を動作させないようにし、前記空床情報が空床ではないと前記動作判定部にて判定された場合に、前記報知部を動作させる親機制御部とを有するナースコール親機と、
を備えたことを特徴とするナースコールシステム。
【発明の詳細な説明】
【技術分野】
【０００１】
本発明は、患者がナースコール子機の呼出操作部を操作することによって医療従事者を呼び出すことができるナースコールシステムに関し、特に、ナースコール子機が接続先から脱落した場合にナースコール親機にて行われる脱落の報知を、停止する機能を備えたナースコールシステムに関する。
【背景技術】
【０００２】
一般に、病院や介護施設などでは、ナースコールシステムが用いられている。ナースコールシステムは、病院の患者が医師または看護師のサポートを必要とする際、または介護施設の被介護者が介護師のサポートを必要とする際に、患者や被介護者（以下、これらをまとめて患者と記載する）が呼出操作部を操作することによって医者、看護師または介護師（以下、これらをまとめて医療従事者と記載する）を呼び出すことができるように成されたシステムである。
【０００３】
多くのナースコールシステムは、ナースステーションに設置されるナースコール親機と、病室内の壁面に設置されるウォールユニットと、ウォールユニットに接続され、患者により使用されるナースコール子機とを備えている。これにより、ナースコール子機とナースコール親機とが接続される。
【０００４】
ウォールユニットは、その表面にコンセントを備えており、このコンセントにナースコール子機のコードの先端に設けられたプラグを取り付けることで、患者がナースコール子機によってナースコール親機に呼び出しを行うことができる。ここで、ナースコール親機は、ナースコール子機からの呼び出しを受けると報知を行う。また、ナースコール子機のプラグは、ウォールユニットのコンセントに対して着脱自在となっている。
【０００５】
このようなナースコール子機としては、握り押しボタンやハンド形子機などがある。ここで、握り押しボタンは、ボタンによって構成される呼出操作部を備えており、単に呼び出し専用であって、通話機能を持たない。また、ハンド形子機は、ボタンによって構成される呼出操作部に加えて、マイクロホンおよびスピーカーを内蔵しており、ハンド形子機自体が通話機能を持っている。
【０００６】
ところで、ナースコールシステムにおいて、ウォールユニットのコンセントからナースコール子機のプラグが脱落したり、ナースコール子機の本体とプラグとの間に設けられたコードが断線したりして、ナースコール子機に異常が生じると、ウォールユニットが脱落呼出をかけるようにしている技術が知られている（例えば、特許文献１など）。
【０００７】
特許文献１に記載の技術では、ウォールユニットに設けた脱落保留操作部を操作しながらナースコール子機のプラグをウォールユニットのコンセントから取り外すと、ナースコール親機はナースコール子機がコンセントから脱落したことを示す脱落呼出の報知を行わないようにしている。これにより、ナースコール子機を使用しない場合などに、脱落呼出の報知を行わせずにナースコール子機のプラグをウォールユニットのコンセントから取り外しておくことが可能となる。ここで、ナースコール子機のプラグがウォールユニットのコンセントから取り外されるケースとしては、ナースコール子機を交換する場合や、使用しないナースコール子機を外しておく場合などが考えられる。
【０００８】
また、特許文献１に記載の技術では、ウォールユニットのコンセントにナースコール子機のプラグを再び接続することで、ウォールユニットが再び脱落呼出をかける状態に戻すことが記載されている。これにより、交換したナースコール子機のプラグや再び使用するナースコール子機のプラグをウォールユニットのコンセントに接続するだけで、脱落呼出の保留を解除することができる。
【０００９】
一方、ナースコール子機の本体とプラグとの間に設けられたコードが断線した場合には、そのナースコール子機を修理したり、コードが断線していないナースコール子機に交換したりしない限り、ナースコール親機による脱落呼出の報知が止まらない。また、ナースコール子機のプラグが意図せずにウォールユニットのコンセントから外れた場合にも、そのナースコール子機のプラグをウォールユニットのコンセントに再び接続しない限り、ナースコール親機による脱落呼出の報知が止まらない。
【００１０】
しかしながら、医療従事者が多忙である場合には、ウォールユニットが設置されている病室に行くことができず、脱落保留操作部を操作しながらナースコール子機のプラグをウォールユニットのコンセントから取り外して脱落呼出を保留にしたり、断線していないナースコール子機のプラグをウォールユニットのコンセントに接続して脱落呼出の報知を止めたりすることができないという問題があった。このような問題を解決するために、ナースコール親機に設けた脱落保留ボタンを操作することで、脱落呼出を保留にする技術が知られている（例えば、特許文献２など）。
【先行技術文献】
【特許文献】
【００１１】
【特許文献１】特開２００８−４２４５９号公報
【特許文献２】特開２００７−９６５５８号公報
【発明の概要】
【発明が解決しようとする課題】
【００１２】
ところで、ナースコール子機をウォールユニットから取り外すケースとして、使用しないナースコール子機を外しておくことが考えられるが、この場合、ナースコール子機を取り外したベッドには患者が居ない状態（所謂、空床状態）であることが多い。しかしながら、脱落呼出保留操作部を操作しながらナースコール子機をウォールユニットから取り外す場合であっても、ナースコール親機にて脱落保留ボタンを操作する場合であっても、脱落呼出を保留するためには、何らかの操作が必要になってしまうため、操作を行う医療従事者に負担をかけてしまうという問題があった。
【００１３】
本発明は、上述したような問題を解決するために成されたものであり、脱落呼出が行われるケースに応じて、適切に脱落呼出の報知が保留できるようにすることを目的とする。
【課題を解決するための手段】
【００１４】
上述した課題を解決するために、本発明では、ナースコール子機のプラグがウォールユニットのコンセントから外れたり、ナースコール子機のコードが断線したりした場合に、ナースコール親機が脱落呼出による報知を行うナースコールシステムにおいて、ナースコール子機を着脱自在に接続するウォールユニットを各ベッドの近傍の壁面に設置し、脱落呼出の報知を保留するための脱落呼出保留操作部を設けて、各ベッドが空床であるか否かを示す空床情報により空床であると判定されたベッドについては、脱落呼出の報知を保留とし、空床ではないと判定されたベッドについては、脱落呼出保留操作部が操作された場合にのみ脱落呼出の報知を保留するようにしている。
【発明の効果】
【００１５】
上記のように構成した本発明によれば、ウォールユニットが設置されたベッドが空床であるか否かによって脱落呼出の報知を保留するか否かを判定しているので、空床のベッド近傍のウォールユニットに取り付けられているナースコール子機を取り外す際に、医療従事者が脱落呼出保留操作部を操作しなくても良くなる。また、空床ではないベッドの近傍に設置されているウォールユニットからナースコール子機を取り外したり、ナースコール子機のコードが断線したりした場合には、脱落呼出保留操作部を操作することでのみ脱落呼出の報知を保留することができる。従って、脱落呼出が行われるケースに応じて、適切に脱落呼出の報知を保留することができる。
【図面の簡単な説明】
【００１６】
【図１】本実施形態によるナースコールシステムの構成例を示すブロック図である。
【図２】本実施形態によるナースコールシステムのウォールユニットとナースコール子機との接続状態を示す図
【図３】本実施形態における記憶部の内容例を示す図である。
【発明を実施するための形態】
【００１７】
以下、本発明の一実施形態を図面に基づいて説明する。図１は、本実施形態によるナースコールシステムの構成例を示すブロック図である。また、図２は、本実施形態によるナースコールシステムのウォールユニット１とナースコール子機との接続状態を示す図である。図１に示すように、本実施形態によるナースコールシステムは、病室内の各ベッドの近傍の壁面に設置されるウォールユニット１と、医療従事者が常駐するナースステーションに設置され、ナースコール子機からの呼び出しに応答するためのナースコール親機１０とを備えて構成される。ここで、ナースコール親機１０は、医療従事者が常駐するナースステーションなどに設置され、医療従事者によって使用される。
【００１８】
サーバー２０は、ナースステーションなどに設置されており、医療従事者によって使用される。また、サーバー２０は、少なくとも各ベッドが空床であるか否かを示す空床情報を記憶しており、ナースコール親機１０に接続されている。ここで、入院していた患者が退院すると、その患者が使用していたベッドの空床情報が空床を示す「０」となる。一方、新しい患者が入院して、空床情報が空床である「０」のベッドに登録されると、その空床情報が在床を示す「１」となる。また、空床情報の入力は、サーバー２０に接続された端末（図示せず）により行われ、登録された空床情報がサーバー２０へ記録される。
【００１９】
また、ウォールユニット１は、制御部２、コンセント３、脱落呼出保留操作部４、インターフェース５を備えて構成されている。また、ナースコール親機１０は、親機制御部１１、親機インターフェース１２、患者情報取得部１３、記憶部１４、報知部１５、動作判定部１６を備えて構成されている。
【００２０】
ここで、図２に示すように、ナースコール子機に設けられたコードの先端にはプラグが設けられており、そのプラグはウォールユニット１に設けられているコンセント３に対して着脱自在（図２（Ａ）、（Ｂ））に取り付けられている。また、ウォールユニット１とナースコール親機１０との間は、有線または無線により接続されている。また、ナースコール子機には、患者が医療従事者を呼び出す際に操作する呼出操作部が設けられている。図２（Ａ）に示すように、ウォールユニット１のコンセント３にナースコール子機のプラグが接続されている状態で、ナースコール子機の呼出操作部が操作されると、ナースコール子機では呼出信号を生成してウォールユニット１へ出力する。この呼出信号には、ナースコール子機を他のナースコール子機と識別するための子機識別情報（例えば、ベッド番号など）が含まれる。
【００２１】
本実施形態によるナースコールシステムは、他の標準的な構成要素として、ウォールユニット１とナースコール親機１０との間に設置され、ナースコール子機により呼び出しが行われたことを表示したり、ナースコール子機のプラグがウォールユニット１のコンセント３から外れたことを表示したり、ナースコール子機のコードが断線したことを表示したり、病室内に居る患者の氏名などを表示したりする図示しない廊下灯を備えている。
【００２２】
また、ウォールユニット１とナースコール親機１０との間には、ナースコール子機およびナースコール親機１０間の通話やデータの送受信に関する制御を行う図示しない制御機が接続されている。また、病院内の通信センターに設置される図示しないハンディナースコール主装置、図示しない構内交換機（ＰＢＸ：Private Branch Exchange）、図示しない公衆網、図示しない無線ユニットを備えることにより、医療従事者が携行するＰＨＳ（Personal
Handy-phone System）によって、ナースコール親機１０の代わりにナースコール子機からの呼び出しに応答することができる。
【００２３】
まず、ウォールユニット１について説明する。ウォールユニット１は、制御部２、コンセント３、脱落呼出保留操作部４、インターフェース５を備えて構成されている。制御部２は、ウォールユニット１の各構成要素を後述するように制御するためのものであり、ＣＰＵ（Central Processing Unit）などにより構成されている。コンセント３は、ナースコール子機のコードの先端に設けられたプラグを着脱自在に接続するためのものである。図２（Ｂ）に示すように、ナースコール子機のプラグがウォールユニット１のコンセント３から外れたり、図２（Ａ）に示すように、ナースコール子機のプラグがウォールユニット１のコンセント３に接続されていても、コードが断線したりすると、制御部２は、プラグがコンセント３から外れたり、コードが断線したりしたことを検出し、脱落呼出信号を生成する。ここで、脱落呼出信号には、このウォールユニット１を他のウォールユニット１と識別するための識別情報（例えば、ベッド番号など）が含まれる。
【００２４】
脱落呼出保留操作部４は、制御部２による脱落呼出信号の生成を保留するために操作される。また、図２に示すように、脱落呼出保留操作部４は、ボタンなどにより構成されている。脱落呼出保留操作部４が操作されている状態で、ナースコール子機のプラグがウォールユニット１のコンセント３から取り外されると、制御部２は脱落呼出信号を生成しなくなる（脱落呼出の保留）。また、脱落呼出の保留の状態で、ナースコール子機のプラグが再びウォールユニット１のコンセント３に取り付けられると、制御部２は脱落呼出信号を生成することができる状態になる（脱落呼出の保留の解除）。この状態で、プラグがコンセント３から外れたり、コードが断線したりしたことを制御部２にて検出すると、制御部２は脱落呼出信号を生成する。
【００２５】
インターフェース５は、ウォールユニット１とナースコール親機１０とを接続して通信を行うためのものである。ここで、インターフェース５は、制御部２により生成された脱落呼出信号をナースコール親機１０へ出力する。ここで、コンセント３にナースコール子機のプラグが接続されていて、ナースコール子機の呼出操作部が操作された場合、インターフェース５は、ナースコール子機から入力した呼出信号をナースコール親機１０へ出力する。
【００２６】
次に、ナースコール親機１０の各構成要素について説明する。親機制御部１１は、ナースコール親機１０の各構成要素を後述するように制御するためのものであり、ＣＰＵなどにより構成されている。親機インターフェース１２は、ナースコール親機１０とウォールユニットとを接続して通信を行うためのものである。ここで、親機インターフェース１２は、ナースコール子機から出力された呼出信号を入力するとともに、ウォールユニット１から出力された脱落呼出信号を入力する。
【００２７】
患者情報取得部１３は、サーバー２０に接続されており、サーバー２０から各ベッドが空床であるか否かを示す空床情報を取得する。また、患者情報取得部１３は、空床情報の他に各患者の氏名を示す患者情報などを取得する。記憶部１４は、例えば図３に示すように、ウォールユニット１の識別情報（ベッド番号）と、患者情報取得部１３がサーバー２０から取得した空床情報とを関連付けて記憶する。
【００２８】
図３において、「１０１−１」、「１０２−１」、「１０２−２」、「１０３−１」、「１０３−２」、「１０３−４」の識別情報については、関連付けて記憶されている空床情報が「１」である。空床情報が「１」であれば、これらの識別情報により特定されるベッドは在床であるといえる。一方、「１０１−２」、「１０３−３」の識別情報については、関連付けて記憶されている空床情報が「０」である。空床情報が「０」であれば、これらの識別情報により特定されるベッドは空床であるといえる。
【００２９】
報知部１５は、スピーカーやディスプレイ、ランプなどにより構成されており、患者からの呼び出しをスピーカーから出力される音声やディスプレイに表示される画像、ランプの点灯／点滅により報知する。ここで、報知部１５としてランプを用いる場合には、そのランプがどのベッドに該当するのかを把握することができるように、患者氏名を表示する表示欄と表示ランプとを備えた選局部を患者の数に応じて組み合わせたボード状のナースコール親機１０が用いられる。また、コンピューター状のナースコール親機１０を用いる場合には、ランプは用いられない。
【００３０】
また、報知部１５は、ナースコール子機のプラグがウォールユニット１のコンセント３から外れたり、ナースコール子機のコードが断線したりしたことを、スピーカーから出力される音声やディスプレイに表示される画像、ランプの点灯／点滅により報知する。ここで、患者からの呼び出しと、ナースコール子機のプラグがウォールユニット１のコンセント３から外れたこと、および、ナースコール子機のコードが断線したこととを区別するために、スピーカーから出力される音声や、ディスプレイに表示される画像、ランプの点滅のパターンを異ならせる必要がある。
【００３１】
動作判定部１６は、ＣＰＵなどにより構成されており、親機インターフェース１２が脱落呼出信号を入力した場合に、記憶部１４を参照して脱落呼出信号に含まれる識別情報に関連付けて記憶されている空床情報を取得し、この空床情報が空床であるか（空床情報「０」）、在床であるか（空床情報「１」）を判定する。
【００３２】
動作判定部１６が在床（空床ではない）と判定した場合には、親機制御部１１は報知部１５を動作させて、脱落呼出信号に含まれる識別情報により特定されるウォールユニット１により、ナースコール子機のプラグがウォールユニット１のコンセント３から外れたり、ナースコール子機のコードが断線したりしたことを報知させる。一方、動作判定部１６が空床と判定した場合には、親機制御部１１は報知部１５を動作させない。
【００３３】
このように構成されたナースコールシステムにおいて、例えば、ベッド番号「１０１−１」のベッドの近傍の壁面に設置されているウォールユニット１にて、ナースコール子機のプラグがウォールユニット１のコンセント３から外れたり、ナースコール子機のコードが断線したりすると、制御部２は、識別情報「１０１−１」を含む脱落呼出信号を生成し、インターフェース５によりナースコール親機１０へ出力する。
【００３４】
ナースコール親機１０では、親機インターフェース１２が脱落呼出信号を入力する。すると、動作判定部１６は、記憶部１４を参照して呼出信号に含まれる識別情報「１０１−１」に関連付けて記憶されている空床情報「１」（図３参照）を取得し、この空床情報が在床であると判定する。動作判定部１６が在床（空床ではない）と判定するので、親機制御部１１は報知部１５を動作させる。
【００３５】
また、ベッド番号「１０１−１」のベッドの近傍の壁面に設置されているウォールユニット１の脱落呼出保留操作部４が操作されている状態で、そのベッドの近傍の壁面に設置されているウォールユニット１のコンセント３からナースコール子機のプラグが外れると、制御部２は脱落呼出信号を生成しない。そのため、ナースコール親機１０では報知部１５が動作しない。
【００３６】
また、ベッド番号「１０１−２」のベッドの近傍の壁面に設置されているウォールユニット１にて、ナースコール子機のプラグがウォールユニット１のコンセント３から外れたり、ナースコール子機のコードが断線したりすると、制御部２は、識別情報「１０１−１」を含む脱落呼出信号を生成し、インターフェース５によりナースコール親機１０へ出力する。
【００３７】
ナースコール親機１０では、親機インターフェース１２が脱落呼出信号を入力する。すると、動作判定部１６は、記憶部１４を参照して呼出信号に含まれる識別情報「１０１−２」に関連付けて記憶されている空床情報「０」（図３参照）を取得し、この空床情報が空床であると判定する。動作判定部１６が空床と判定するので、親機制御部１１は報知部１５を動作させない。
【００３８】
以上詳しく説明したように、本実施形態によれば、ナースコール子機のプラグがウォールユニット１のコンセント３から外れたり、ナースコール子機のコードが断線したりした場合に、ナースコール親機１０が脱落呼出による報知を行うナースコールシステムにおいて、患者が医療従事者を呼び出すために使用する呼出操作部を備えたナースコール子機を着脱可能に接続するウォールユニット１を各ベッドの近傍の壁面に設置し、脱落呼出の報知を保留するための脱落呼出保留操作部４を設ける。ナースコール親機１０では、各ベッドが空床であるか否かを示す空床情報により空床であると動作判定部１６にて判定されたベッドについては、脱落呼出の報知を保留とし、空床ではないと判定されたベッドについては、脱落呼出保留操作部４が操作された場合にのみ脱落呼出の報知を保留するようにしている。
【００３９】
これにより、ウォールユニット１が設置されたベッドが空床であるか否かによって脱落呼出の報知を保留するか否かを判定しているので、空床のベッド近傍のウォールユニット１に取り付けられているナースコール子機を取り外す際に、医療従事者が脱落呼出保留操作部４を操作しなくても良くなる。また、空床ではないベッドの近傍に設置されているウォールユニット１からナースコール子機を取り外したり、ナースコール子機のコードが断線したりした場合には、脱落呼出保留操作部４を操作することでのみ脱落呼出の報知を保留することができる。従って、脱落呼出が行われるケースに応じて、適切に脱落呼出の報知を保留することができる。
【００４０】
なお、前述した実施形態では、脱落呼出保留操作部４をウォールユニット１に設けるようにしているが、これに限定されない。例えば、ナースコール親機１０に脱落呼出保留操作部を設けるようにしても良いし、ウォールユニット１およびナースコール親機１０の両方に脱落呼出保留操作部を設けるようにしても良い。
【００４１】
また、前述した実施形態では、ナースコール親機１０がサーバー２０から空床情報を取得するようにしているが、これに限定されない。例えば、ナースコール親機１０に設けた患者情報取得部１３にて空床情報を入力するようにしても良い。この場合、患者情報取得部１３による空床情報の入力が、脱落呼出保留操作部４の操作よりも簡単である必要がある。
【００４２】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００４３】
１    ウォールユニット
２    制御部
３    コンセント
４    脱落呼出保留操作部
５    インターフェース
１０    ナースコール親機
１１    親機制御部
１２    親機インターフェース
１３    患者情報取得部
１４    記憶部
１５    報知部
１６    動作判定部
２０    サーバー
【図１】
2013208157.tif 000003
【図２】
2013208157.tif 000004
【図３】
2013208157.tif 000005